(57)【要約】  【課題】座体に適切な柔軟性を与えることができる技術を提供する。  【解決手段】本開示の椅子は、着座面を有する座体を備える。上記座体は、板状の部材である板状部を有しており、上記板状部には、該板状部の主たる面に複数の穴が形成されている。上記複数の穴は、相対的に前方に形成される複数の前方穴と、相対的に後方に形成される複数の後方穴と、を含み、上記複数の後方穴それぞれの容積は、上記複数の前方穴それぞれの容積よりも大きい。【選択図】図１
2019050928.tif 000002
【特許請求の範囲】
【請求項１】
着座面を有する座体を備える椅子であって、
前記座体は、板状の部材である板状部を有しており、
前記板状部には、該板状部の主たる面に複数の穴が形成されており、
前記複数の穴は、相対的に前方に形成される複数の前方穴と、相対的に後方に形成される複数の後方穴と、を含み、
前記複数の後方穴それぞれの容積は、前記複数の前方穴それぞれの容積よりも大きい、椅子。
【請求項２】
請求項１に記載の椅子において、
前記複数の前方穴は、前記板状部における前後方向の中央部よりも前方側の位置に形成されており、前記複数の後方穴は、前記板状部における前記中央部よりも後方側の位置に形成されている、椅子。
【請求項３】
請求項２に記載の椅子において、
前記複数の後方穴の容積の和は、前記複数の前方穴の容積の和よりも大きい、椅子。
【請求項４】
請求項１から請求項３のいずれか１項に記載の椅子において、
前記複数の穴は、後方から前方に向けて徐々に容積が小さくなるように形成されている、椅子。
【請求項５】
請求項１から請求項４のいずれか１項に記載の椅子において、
前記板状部には、前記主たる面における外縁に沿う位置に少なくとも１つのスリットが形成されている、椅子。
【請求項６】
請求項５に記載の椅子において、
前記少なくとも１つのスリットは、前記板状部における前後方向の中央部よりも後方側の位置に形成されている、椅子。
【請求項７】
請求項５又は請求項６に記載の椅子において、
前記板状部には、該板状部の後方、かつ、該板状部の左右方向に関する中央の位置に、前記少なくとも１つのスリットが形成されていない領域を有する、椅子。
【発明の詳細な説明】
【技術分野】
【０００１】
本開示は、椅子に関する。
【背景技術】
【０００２】
従来、座体が着席者の荷重を受ける板状の部材を備える椅子がある。このような椅子において、板状の部材の柔軟性が適切でないと、座り心地が悪くなってしまう場合がある。下記特許文献１に記載の椅子は、板状の部材である底板に多数の貫通孔を形成して底板を撓みやすくすることで、座り心地の向上を図っている。
【先行技術文献】
【特許文献】
【０００３】
【特許文献１】特開２００５−３４２９８号公報
【発明の概要】
【発明が解決しようとする課題】
【０００４】
座体を構成する板状の部材に求められる柔軟性の程度は、板状の部材における位置に応じて変化する。例えば、後方の坐骨（坐骨結節）付近は、前方に比較して比較的高度な柔軟性を求められる場合がある。
【０００５】
本開示は、座体に適切な柔軟性を与えることができる技術を提供する。
【課題を解決するための手段】
【０００６】
本開示の第１の態様は、着座面を有する座体を備える椅子であって、前記座体は、板状の部材である板状部を有しており、前記板状部には、該板状部の主たる面に複数の穴が形成されており、前記複数の穴は、相対的に前方に形成される複数の前方穴と、相対的に後方に形成される複数の後方穴と、を含み、前記複数の後方穴それぞれの容積は、前記複数の前方穴それぞれの容積よりも大きい椅子である。
【０００７】
このような椅子であれば、板状部における後方穴が形成された部分の柔軟性を、前方穴が形成された部分及び穴が形成されていない部分と比較して高くすることができる。これにより、座体に適切な柔軟性を与えることができる。例えば、坐骨結節の荷重を受ける部分の柔軟性を高めることができる。
【０００８】
上述した椅子において、前記複数の前方穴は、前記板状部における前後方向の中央部よりも前方側の位置に形成されており、前記複数の後方穴は、前記板状部における前記中央部よりも後方側の位置に形成されていてもよい。このような椅子であれば、板状部の後方の柔軟性を、板状部の前方部分の柔軟性よりも高めることができる。
【０００９】
なお、このような場合において、前記複数の後方穴の容積の和は、前記複数の前方穴の容積の和よりも大きくしてもよい。このような椅子であれば、より確実に、板状部の後方の柔軟性を高めることができる。
【００１０】
また上述した本開示の第１の態様の椅子において、前記複数の穴は、後方から前方に向けて徐々に容積が小さくなるように形成されていてもよい。このような椅子であれば、板状部の柔軟性を徐々に変化させることができる。そのため、急激な柔軟性の変化によって着席者に違和感を与えてしまうことを抑制できる。
【００１１】
また上述した本開示の第１の態様の椅子において、前記板状部には、前記主たる面における外縁に沿う位置に少なくとも１つのスリットが形成されていてもよい。このような椅子であれば、スリットによって、柔軟性を大きく変化させることができる。
【００１２】
上述したように、椅子に少なくとも１つのスリットが設けられる場合には、前記少なくとも１つのスリットは、前記板状部における前後方向の中央部よりも後方側の位置に形成されていてもよい。このような椅子であれば、板状部の後方部分の柔軟性をスリットによって調整することができる。
【００１３】
また、上述したように、椅子に少なくとも１つのスリットが設けられる場合には、前記板状部には、該板状部の後方、かつ、該板状部の左右方向に関する中央の位置に、前記少なくとも１つのスリットが形成されていない領域を有していてもよい。
【００１４】
このような椅子であれば、板状部の後方において、左右方向の中央部の柔軟性を周囲よりも相対的に低くすることができる。これにより、板状部における左右２箇所の坐骨結節の荷重を受ける部分の柔軟性を高めつつも、板状部が撓み過ぎることで着席者に違和感を与えてしまうことを抑制できる。
【図面の簡単な説明】
【００１５】
【図１】図１Ａは使用状態の椅子の前方斜視図であり、図１Ｂは収納状態の椅子の前方斜視図であり、図１Ｃは使用状態の椅子の後方斜視図である。
【図２】図２Ａは椅子の正面図であり、図２Ｂは椅子の右側面図である。
【図３】板状部の平面図である。
【図４】図４Ａは板状部の側面図であり、図４Ｂは図４ＣのＩＶＢ−ＩＶＢ断面図であり、図４Ｃは板状部の底面図である。
【図５】図５Ａは枠部の平面図であり、図５Ｂは枠部の右側面図である。
【図６】図６Ａはクッション部を板状部に取り付けた状態の底面図であり、図６Ｂは上記板状部の側面図であって、前端部分がＶＩＢ−ＶＩＢ断面図であり、図６Ｃはクッション部の平面図である。
【図７】変形例の板状部の平面図である。
【図８】変形例の板状部の断面図である。
【図９】図９Ａ及び図９Ｂは、変形例の板状部に形成された穴の斜視図である。
【図１０】変形例の椅子の前方斜視図である。
【発明を実施するための形態】
【００１６】
以下に本開示の実施形態を図面と共に説明する。
［１．実施形態］
［１−１．全体構成］
椅子１は、図１Ａ−１Ｃ及び図２Ａー２Ｂに示すように、背もたれ２と、左右一対の脚部３と、座体４と、を備える。椅子１は、同一の椅子１を前後方向に重ねる収納、いわゆるネスティングが可能なネスティングチェアーである。
【００１７】
背もたれ２は、板状の部材を、平面視で後方に向けて凸となる円弧状とすることで、全体として着席者の背中に沿うような形状とされたものである。背もたれ２の左右両側の下端には、下方に延びる一対の背側連結片１１が形成されている。
【００１８】
脚部３は左右対称形である。脚部３の左右それぞれには、二本の柱状の部材である前脚３ａ及び後脚３ｂが設けられている。前脚３ａは下側ほど前方に位置するように延びる柱状の部材であり、後脚３ｂは下側ほど後方に位置するように延びる柱状の部材である。また脚部３は、左右２組の前脚３ａ及び後脚３ｂの上端を連結するように、左右方向に延びる支持フレーム３ｃを備える。支持フレーム３ｃは、支持フレーム３ｃの左右方向の端部側それぞれの上部から上方に延びて、一対の背側連結片１１と連結する一対の支持側連結片１３を備えている。
【００１９】
一対の背側連結片１１、及び、一対の支持側連結片１３は、座体４の後端側を左右から挟む位置関係で配置され、この座体４を、左右方向に延びる軸部材１５を回転軸として回動可能に固定している。これにより、座体４は、図１Ａ及び図１Ｃに示される使用状態と、図１Ｂに示される収納状態と、の間で回動可能となる。使用状態とは、座体４の着座面が地面に沿った面となるように倒れた状態であり、収納状態とは、座体４の着座面が地面と交差する状態である。
【００２０】
［１−２．座体］
座体４は、椅子１における着席者が着席可能な部分であって、平面視で略矩形であり、板状部２１と、枠部２３と、クッション部２５と、を有している。本実施形態の説明において、前後及び左右の方向は、椅子１が使用状態である場合に、当該椅子１の着席者から見た前後及び左右の方向を指す。
【００２１】
図３及び図４Ａ〜４Ｃに示されるように、板状部２１は、主たる面が板状の部材である。板状部２１は、左右対称形であって、略水平方向に広がっており、着席者の荷重を受けて着席者を支えることができる部材である。この板状部２１の主たる面には、複数の穴３１が形成されている。
【００２２】
複数の穴３１について説明する。複数の穴３１は、後方から前方に向けて徐々に容積が小さくなるように形成されている。より詳細には、後端から、板状部２１の前後方向の長さの１／３程度前方に進んだ位置までは、穴３１は同じ容積であり、その位置より前方においては、前方の穴３１ほど容積が少しずつ小さくなる。本実施形態の穴３１は、貫通孔であり、板状部２１の拡がる方向に関する断面積が一定である。そのため、複数の穴３１は、後方から前方に向けて徐々に孔径が小さくなるように形成されている、と言い換えることができる。
【００２３】
また、上述した複数の穴３１は、以下のように説明することもできる。
複数の穴３１は、相対的に前方に形成される複数の前方穴と、相対的に後方に形成される複数の後方穴と、を含む。例えば、図３において、板状部２１における前後方向の中央部よりも前方側の領域６１に形成される複数の穴３１を上述した前方穴とすることができる。また、上記中央部よりも後方側の領域６３に形成される複数の穴３１を上述した後方穴とすることができる。複数の後方穴それぞれの容積は、複数の前方穴それぞれの容積よりも大きい。また、複数の後方穴の容積の和は、複数の前方穴の容積の和よりも大きい。
【００２４】
また板状部２１には、２つのスリット３３及び２つのスリット３５が形成されている。これらのスリットは、板状部２１の主たる面における外縁に沿う位置において、外縁に沿う方向に長さを有するように形成されている。またそれらのスリットは、上述した後方側の領域６３に形成されている。なお、スリットが形成される板状部２１の外縁とは、少なくとも、着席者が適切に座体４に着席したときに、坐骨結節の直下に位置せず、坐骨結節の直下から間隔を空けた位置である。
【００２５】
具体的には、２つのスリット３３は、板状部２１の後方において、左右に別れて形成されている。板状部２１は、板状部２１の左右方向に関する中央の位置に、スリットが形成されていない領域３７を有する。２つのスリット３５は、後方側の領域６３における左右の端部それぞれに形成されている。
【００２６】
また板状部２１の外縁の近傍には、図４Ｂ及び４Ｃに示されるように、外縁に沿う溝３８と、複数の雌ネジ３９と、が形成されている。これらは、板状部２１が枠部２３及びクッション部２５と連結するために用いられる。
【００２７】
枠部２３は、左右対称形であって、図５Ａに示されるように、４つの棒状の部材を骨組みとする略矩形の枠体である。枠部２３には、突条４１、ネジ穴４３、当接部４５、及び連結片４７が設けられている。
【００２８】
突条４１は、枠部２３全周に亘って設けられ、板状部２１の溝３８に挿入可能に構成されている。
ネジ穴４３は、雌ネジ３９に対応する位置に設けられている。図示しないネジを、ネジ穴４３を通して雌ネジ３９に締結することで、板状部２１と枠部２３は固定される。
【００２９】
当接部４５は、枠部２３の左右の部分から下方に突出しており、椅子１が使用状態にあるときに支持フレーム３ｃと当接する。支持フレーム３ｃは、当接部４５を介して座体４に加えられた荷重を受ける。
【００３０】
連結片４７は、枠部２３の左右の部分から上方に突出している。連結片４７には左右方向の貫通孔４９が形成されている。貫通孔４９は、軸部材１５が挿入可能に構成されている。軸部材１５が貫通孔４９に挿入されたとき、挿入された軸部材１５の先端は背側連結片１１に固定される。これにより、座体４は軸部材１５を中心として回転可能となる。
【００３１】
クッション部２５は、図６Ａ〜６Ｃに示されるように、板状部２１に取り付けられる。クッション部２５は、クッション材５１と、クッション材５１を覆う張地５３と、を有する。張地５３は、板状部２１の上側面に配置されたクッション材５１を上側から覆う。５３の端部は、板状部２１の下側面まで巻き付けられて溝３８に挿入され、タッカー針５５により板状部２１に固定される。張地５３の表側の面が、使用者（着席者）が着席する着座面となる。
【００３２】
そして、クッション部２５が取り付けられた板状部２１と、枠部２３と、をネジにより固定することにより、座体４が組み立てられる。なお座体４の前端部は、下方向に垂れ下がる形状となっている。
【００３３】
［１−３．効果］
以上詳述した実施形態によれば、以下の効果が得られる。
（１ａ）本実施形態の椅子１は、板状部２１に複数の穴３１を形成することにより、板状部２１の柔軟性を調整することができ、それにより座体４の柔軟性を適切なものとすることができる。よって、着席者が椅子１へ着席したときの座り心地を向上させることができる。
【００３４】
具体的に説明すると、複数の穴３１は、前方ほど容積が小さくなるように、前方に向かって徐々に孔径が小さくなるように設けられているため、穴３１の容積が大きい板状部２１の後方ほど柔軟性が高い。着席者の荷重は主に座体４の後方において加えられる場合が多いため、その後方部分の柔軟性が高いことにより、座り心地が向上する。
【００３５】
また前方の穴３１の容積を小さくすることで、太腿が当接する部分を適度な柔軟性とするとともに、座体４の前方部分が撓みすぎることを抑制することができる。このため、座体４を着席者にとって好ましい状態とすることができる。
【００３６】
なお、上記実施形態では、均等厚の板状の部材において徐々に孔径（容積）を変化させることで板状部の柔軟性を調整している。この場合、板状部の厚さを前方に向かって徐々に薄くした場合と比べて、樹脂の成型時の流動性に影響が少なく、偏肉により生じる成型後の想定されない変形も抑制される。そのため、撓みをコントロールしつつ安定した板状部を得ることができる。
【００３７】
また、例えば孔径（容積）が一定である穴の数を調整すること、言い換えると穴の密度を調整することで板状部の柔軟性を調整した板状部と比較すると、前方の柔軟性の変化を緩やかにし、着席時の違和感を低減することができる。板状部２１の前方に設けられる穴３１の大きさを後方の穴３１と同じ容積にする場合、板状部２１の前方部分の柔軟性を低くするためには、その穴の数を減らす必要がある。ここで、板状部に大きな穴が１つ形成される場合と、小さな穴が分散して複数形成される場合とを比較すると、小さい穴を分散して形成する方が、広さ方向に関して柔軟性の変化が緩やかになる。なお、板状部２１の後方は、大きく柔軟性を変化させる必要があるため、柔軟性の変化を緩やかにする必要性が低い。
【００３８】
（１ｂ）本実施形態の椅子１では、板状部２１にスリット３３及びスリット３５を設けることにより、板状部２１の柔軟性を調整し、それにより座体４の柔軟性を適切なものとすることができる。よって、着席者が椅子１へ着席したときの座り心地を向上させることができる。
【００３９】
ここで、スリット３３及びスリット３５は、後方側の領域６３において形成されているため、座体４の後方部分の柔軟性を高めることができる。
スリット３３は、図３に示されるように、板状部２１の後方の外縁に沿って設けられるが、左右方向の中央部には設けられない。また、スリット３３とスリット３５とは、板状部２１の後方左端及び後方右端では繋がっていない。スリット３５は、左右それぞれの外縁に沿って長く形成される。
【００４０】
このようにスリットが形成されるため、左右方向の中央部はスリットに起因する柔軟性の向上の効果が低く、後方側の領域６３における左側領域６５及び右側領域６７において柔軟性が高度に向上する。つまり、着席者が着席したとき（着席時）に荷重がもっとも強く掛かる、左右２箇所の坐骨結節に対応する部分において、柔軟性を高度に向上させることができる。また、板状部２１の左右方向の中央にはスリットが形成されていないため、着席時に板状部２１の中央部分が撓みすぎることを抑制できる。また、後方の左右端部においてスリットが形成されていないため、板状部２１の後方の左右端部が撓みすぎることを抑制できる。
【００４１】
またスリット３３及びスリット３５は板状部２１の外縁に沿って設けられるため、違和感を与えることがない。つまり、着席者に当接しやすい部分は緩やかに、そうでない部分は大きく変化させることで、板状部２１に適切な柔軟性を付与することができる。
【００４２】
［２．その他の実施形態］
以上、本開示の実施形態について説明したが、本開示は、上記実施形態に何ら限定されることはなく、本開示の技術的範囲に属する限り種々の形態をとり得ることはいうまでもない。
【００４３】
（２ａ）上記実施形態において例示した複数の穴３１の形状や配置は、上記実施形態に開示された構成に限定されない。
例えば、上記実施形態においては、前方側の領域６１に配置される穴３１を前方穴とし、後方側の領域６３に配置される穴３１を後方穴として、前方穴の容積が後方穴の容積よりも小さくなる構成を例示した。
【００４４】
しかしながら、相対的に前方に位置する第１の領域に形成された複数の前方穴の容積が、第１の領域よりも後方の第２の領域に形成された複数の後方穴の容積よりも小さくなっていれば、複数の穴の態様は上記実施形態の構成に限定されない。例えば、板状部の第１の領域および第２の領域以外の領域においては、どのような穴がどのような態様で設けられていてもよい。なお上述した容積とは、例えば、第１の領域および第２の領域それぞれについての、穴の平均容積とすることができる。
【００４５】
また、複数の前方穴の存在する領域（前方側の領域）、及び、複数の後方穴が存在する領域（後方側の領域）は、前方側の領域が後方側の領域よりも前方に配置されているならば、それらの領域の位置、大きさなどは特に限定されない。例えば、前方側の領域及び後方側の領域は、板状部２１における一部の領域であってもよい。
【００４６】
（２ｂ）また、板状部２１の主たる面において、複数の穴３１の形成される数に偏りがあってもよい。例えば、前方側の領域６１に形成される容積の小さい穴３１が、後方側の領域６３に形成される穴３１と比較して、同一の面積当たりより多く形成されていてもよいし、より少なく形成されていてもよい。なお、前方側の領域６１に設けられる穴３１の容積の和は、後方側の領域６３に形成される穴３１の容積の和よりも少なくすることが考えられる。これにより、後方側の領域６３の柔軟性を十分に高めることができる。
【００４７】
（２ｃ）また、上記実施形態においては、複数の穴３１は、後方から前方に向けて徐々に容積が小さくなるように形成されている構成、すなわち、複数の穴３１はその容積が多数の段階に分けられ、容積が大きい穴３１ほど後方に配置される構成を例示した。しかしながら、板状部２１は、少なくとも２段階以上の段階的に容積が変化する構成であれば、その段階は特に限定されない。なお、容積が３段階以上に調整されることで、柔軟性の変化による違和感を低減できる。また、前方側の領域に容積の比較的大きい穴が形成されていたり、後方側の領域に容積の比較的小さい穴が形成されていたりしてもよい。これらの場合であっても、前方側の領域６１に設けられる穴３１の容積の和は、後方側の領域６３に形成される穴３１の容積の和よりも少なくすることが考えられる。
【００４８】
（２ｄ）また、複数の穴３１は、上記実施形態で示したように板状部２１の主たる面全体に形成されていなくてもよい。例えば、図７に示すように、板状部２１のうちの一部の領域のみに形成されていてもよい。
【００４９】
（２ｅ）また、複数の穴３１は、貫通孔でなくてもよい。例えば、図８に示される穴３１ａのように、貫通しない穴であってもよい。板状部２１にこのような穴を形成する場合、板状部２１のいずれの面に穴を形成してもよいが、少なくとも一部を裏面に形成することで、例えば収納状態において、穴を外部から視認させるように構成できる。この場合には、座体４の柔軟性が調整されていることを使用者に視認させることができ、また、穴の配置による美観の向上を図ることができる。また、上述した実施形態の椅子１のように、穴３１の開口の径を後方から前方に向かってグラデーション状に変化させた場合には、より高度に柔軟効果を視覚的に訴求する美観を持たせることができる。
【００５０】
（２ｆ）板状部２１に設けられる穴の形状は、特に限定されない。例えば、深さ方向に関して、変化する断面形状を有するものであってもよい。例えば、図９Ａ、９Ｂに示される穴３１ｂ、３１ｃのように、穴の深さ方向に関して断面積が小さくなる形状であってもよい。また、例えば、板状部２１の表面近傍における穴の断面形状は矩形であるが、奥部は円形となるように、断面形状が変化するように構成されていてもよい。
【００５１】
（２ｇ）スリットの配置は、上述した実施形態の構成に限定されない。例えば、板状部２１にはスリット３３及びスリット３５のいずれか一方のみが形成されていてもよい。また、スリット３３及びスリット３５以外のスリットが形成されていてもよい。また、前方側の領域６１においてスリットが形成されていてもよい。
【００５２】
（２ｈ）椅子１を構成する背もたれ２、脚部３、及び座体４の具体的な構成は、上記実施形態の構成に限定されない。例えば、背もたれ２は設けられていなくともよい。また、ネスティングができない構成であってもよいし、座体が回転しない構成であってもよい。
【００５３】
また、板状部は、一定の広さを有しており、着席者の荷重を受けて着席者を支えることができる部材であれば、その具体的な形状や座体における板状部の設けられる範囲は特に限定されない。
【００５４】
また、座体４は、クッション部２５を有していなくともよい。例えば、図１０に示される椅子１ａのように、座板２１ａが着席者に当接するように構成されていてもよい。この場合、上述した座板が板状部に相当する。座板２１ａは使用状態において、その上面側に穴３１が位置する。よって、この椅子１ａでは、使用状態であっても、座板２１ａの柔軟性が調整されたものであることを使用者に視認させることができる。
【００５５】
（２ｉ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【符号の説明】
【００５６】
１…椅子、１ａ…椅子、３…脚部、３ａ…前脚、３ｂ…後脚、３ｃ…支持フレーム、４…座体、１１…背側連結片、１３…支持側連結片、１５…軸部材、２１…板状部、２１ａ…座板、２３…枠部、２５…クッション部、３１…穴、３１ａ…穴、３１ｂ…穴、３３…スリット、３５…スリット、３７…領域、３８…溝、３９…雌ネジ、４１…突条、４３…ネジ穴、４５…当接部、４７…連結片、４９…貫通孔、５１…クッション材、５３…張地、５５…タッカー針、６１…前方側の領域、６３…後方側の領域、６５…左側領域、６７…右側領域
【図１】
2019050928.tif 000003
【図２】
2019050928.tif 000004
【図３】
2019050928.tif 000005
【図４】
2019050928.tif 000006
【図５】
2019050928.tif 000007
【図６】
2019050928.tif 000008
【図７】
2019050928.tif 000009
【図８】
2019050928.tif 000010
【図９】
2019050928.tif 000011
【図１０】
2019050928.tif 000012